(57)【要約】【課題】体液をより確実かつ迅速に検出部に移送することができる体液採取具を提供すること。【解決手段】体液採取具１は、血液（体液）を体液流入口（体液採取口）４１から採取して、内部に移送する体液移送路４を有する本体部２と、本体部２に設けられ、体液移送路４を介して移送された血液中の所定成分を検出する試験紙（検出部）３とを有し、本体部２には、体液移送路４の試験紙３（体液流出口４２）近傍に、体液移送路４内に突出する凸部７が設けられている。この凸部７を設けることにより、体液移送路４内における毛細管現象による血液の移送を促進することができる。また、体液採取具１は、試験紙３の下部に体液移送路４に連通する体液貯留空間５を有しており、これにより、試験紙３へより均一に血液が展開される。【選択図】  図３
2004194926.tif 000002
【特許請求の範囲】
【請求項１】
体液を体液採取口から採取して、内部に移送する体液移送路を有する本体部と、
該本体部に設けられ、前記体液移送路を介して移送された前記体液中の所定成分を検出する検出部とを有し、
前記本体部には、前記体液移送路の前記検出部近傍に、前記体液移送路内に突出する凸部が設けられていることを特徴とする体液採取具。
【請求項２】
前記凸部は、その頂部が前記検出部に接触している請求項１に記載の体液採取具。
【請求項３】
前記凸部は、その表面に親水化処理が施されている請求項１または２に記載の体液採取具。
【請求項４】
前記体液移送路の最小横断面積をＲ１とし、前記体液採取口の面積をＲ２としたとき、Ｒ１／Ｒ２が０．０５〜０．５である請求項１ないし３のいずれかに記載の体液採取具。
【請求項５】
前記体液移送路は、その横断面積が前記体液採取口から遠ざかる方向に向かって漸減している請求項１ないし４のいずれかに記載の体液採取具。
【請求項６】
前記本体部は、下部材と、該下部材に積層され、前記下部材とで前記体液移送路の一部を画成する上部材とを有する請求項１ないし５のいずれかに記載の体液採取具。
【請求項７】
前記下部材および前記凸部は、射出成形により一体的に形成されたものである請求項６に記載の体液採取具。
【請求項８】
前記下部材および前記凸部は、母材にエッチング加工を施すことにより形成されたものである請求項６に記載の体液採取具。
【請求項９】
前記下部材および前記凸部は、平板状の母材の表面に、印刷法を用いて所定の形状が形成されたもの、または、所定の形状の部材が固定されたものである請求項６に記載の体液採取具。
【発明の詳細な説明】
【０００１】
【発明が属する技術分野】
本発明は、体液採取具に関するものである。
【０００２】
【従来の技術】
従来、血液中の種々の成分を測定するために、血液中の特定成分と反応する特異酵素の反応生成物を測定する方法が検討されてきている。特に、血糖値の測定は、患者の状態をモニターするために重要であり、日常の血糖値の変動を患者自身がモニターする自己血糖測定が推奨されてきている。また、近年、糖尿病患者が増加してきており、簡便で苦痛の少ない測定方法、測定手段が求められてきている。
【０００３】
この血糖値の測定は、グルコースオキシダーゼやグルコースデヒドロゲナーゼ等の酵素がブトウ糖を酸化する反応を用いて行われる場合が多く、現在、血中のブドウ糖量に応じて呈色する試験紙を装着し、該試験紙に血液を供給、展開して呈色させ、その呈色の度合いを光学的に測定（測色）して血糖値を定量化する比色式の方法、前記の酵素反応の生成物を電気的に測定する電極式の方法等による血糖測定装置を用いて行われている。
【０００４】
このような血糖値の測定では、一般に、前記試験紙を組み込んだチップ（体液採取具）を血糖測定装置に装着して行われる。このチップでは、血液を採取し、毛細管現象を利用して試験紙に移送する血液移送路（体液移送路）を有している。
【０００５】
ところで、血液は、比較的粘性が高いため、血液移送路内で滞留が生じる場合がある。この場合、血糖値の測定が不能となり、チップを破棄しなければならず、また、患者には、再度の血液採取を強いることになり負担が大きい。
【０００６】
そこで、このような血液（体液）の血液移送路内での滞留を防ぐため、血液移送路（体液移送路）内に、血液の移送方向に沿って糸を設け、この糸に振動エネルギーを加えることにより、血液の毛細管流による移動が円滑に行われるようにした試験具が提案されている（例えば、特許文献１参照。）。
【０００７】
しかしながら、この試験具を用いた場合、試験具を装着する測定装置に、糸に振動エネルギーを付与するための手段を設ける必要があり、測定装置が複雑化するという問題がある。
【０００８】
また、他の構成として、血液移送路（毛管液体輸送を可能にするチャンネル）の毛管輸送の方向に連続的に狭窄化し、毛細管現象による血液（体液）の移送を促進するよう構成したものも提案されている（例えば、特許文献２参照。）。
【０００９】
しかしながら、このような構成では、血液移送路の長さを長くした場合や、採取する血液の粘度が高い場合等には、毛細管現象による血液（体液）の移送を促進する効果が十分に得られない。
【００１０】
【特許文献１】
特開平９−６１３１０号公報
【特許文献２】
特開２００１−５２６３９１号公報
【００１１】
【発明が解決しようとする課題】
本発明の目的は、体液をより確実かつ迅速に検出部に移送することができる体液採取具を提供することにある。
【００１２】
【課題を解決するための手段】
このような目的は、下記（１）〜（１８）の本発明により達成される。
【００１３】
（１）  体液を体液採取口から採取して、内部に移送する体液移送路を有する本体部と、
該本体部に設けられ、前記体液移送路を介して移送された前記体液中の所定成分を検出する検出部とを有し、
前記本体部には、前記体液移送路の前記検出部近傍に、前記体液移送路内に突出する凸部が設けられていることを特徴とする体液採取具。
【００１４】
（２）  前記凸部は、その頂部が前記検出部に接触している上記（１）に記載の体液採取具。
【００１５】
（３）  前記凸部は、その表面に親水化処理が施されている上記（１）または（２）に記載の体液採取具。
【００１６】
（４）  前記体液移送路の最小横断面積をＲ１とし、前記体液採取口の面積をＲ２としたとき、Ｒ１／Ｒ２が０．０５〜０．５である上記（１）ないし（３）のいずれかに記載の体液採取具。
【００１７】
（５）  前記体液移送路は、その横断面積が前記体液採取口から遠ざかる方向に向かって漸減している上記（１）ないし（４）のいずれかに記載の体液採取具。
【００１８】
（６）  前記体液移送路に連通し、前記体液移送路を介して移送された前記体液を貯留する体液貯留空間を有する上記（１）ないし（５）のいずれかに記載の体液採取具。
【００１９】
（７）  前記体液貯留空間は、前記検出部と前記本体部とで画成されている上記（６）に記載の体液採取具。
【００２０】
（８）  前記体液貯留空間は、前記体液移送路とは異なる箇所で大気に開放している上記（６）または（７）に記載の体液採取具。
【００２１】
（９）  前記体液貯留空間に連通し、該体液貯留空間を大気に開放する大気開放路を有する上記（８）に記載の体液採取具。
【００２２】
（１０）  前記本体部は、下部材と、該下部材に積層され、前記下部材とで前記体液移送路の一部を画成する上部材とを有する上記（１）ないし（９）のいずれかに記載の体液採取具。
【００２３】
（１１）  前記検出部と前記下部材とで、前記体液移送路の一部が画成されている上記（１０）に記載の体液採取具。
【００２４】
（１２）  前記検出部は、前記下部材と前記上部材との間に位置している上記（１０）または（１１）に記載の体液採取具。
【００２５】
（１３）  前記上部材は、前記下部材と前記上部材との間に前記検出部を位置させた状態で、前記検出部の一部を露出させる孔部を有する上記（１２）に記載の体液採取具。
【００２６】
（１４）  前記上部材と前記検出部とは、同一平面上に位置している上記（１０）または（１１）に記載の体液採取具。
【００２７】
（１５）  前記下部材および前記凸部は、射出成形により一体的に形成されたものである上記（１０）ないし（１４）のいずれかに記載の体液採取具。
【００２８】
（１６）  前記下部材および前記凸部は、母材にエッチング加工を施すことにより形成されたものである上記（１０）ないし（１４）のいずれかに記載の体液採取具。
【００２９】
（１７）  前記下部材および前記凸部は、平板状の母材の表面に、印刷法を用いて所定の形状が形成されたもの、または、所定の形状の部材が固定されたものである上記（１０）ないし（１４）のいずれかに記載の体液採取具。
【００３０】
（１８）  前記検出部は、前記体液を吸収可能な担体に、前記所定成分と反応する試薬を担持してなるものである上記（１）ないし（１７）のいずれかに記載の体液採取具。
【００３１】
【発明の実施の形態】
＜成分測定装置＞
まず、本発明の体液採取具を説明する前に、本発明の体液採取具を装填（装着）して使用する成分測定装置について、図７を参照して説明する。
【００３２】
なお、本明細書中では、血液（体液）中の所定の成分を光学的に（比色式の方法により）測定（検出）する場合を代表に説明する。
【００３３】
図７は、本発明の体液採取具を装填して使用する成分測定装置の構成を模式的に示す分解斜視図である。なお、以下の説明では、図７中、右側を「基端」、左側を「先端」、上側を「上」または「上方」、下側を「下」または「下方」と言う。
【００３４】
図７に示す成分測定装置（血液成分測定装置）１００は、本体２００と、本発明の体液採取具１が装填（装着）される装填部３００と、採取された血液中の所定の成分（例えば、ブドウ糖等）を測定する測定手段４００と、電池（電源部）５００と、制御手段６００等が設けられた回路基板７００と、表示部８００とを備えている。以下、各部の構成（各構成要素）について、順次説明する。
【００３５】
本体２００は、筐体２１０と蓋体２５０とで構成され、その内部には、前述したような各部（各部材）が収納されている。
【００３６】
筐体２１０の先端側の壁部２２０には、筐体２１０の内外を貫通し、横断面での形状がほぼ長方形（後述する体液採取具１の横断面形状に対応した形状）の開口２３０が形成されている。この開口２３０を介して、装填部３００の先端部に、体液採取具１を装填することができる。
【００３７】
この装填部３００の側部近傍（図１中上方）には、体液採取具１を装填部３００に装填した状態で、後述する体液採取具１が備える試験紙（検出部）３に対応する位置に測定手段４００が設けられている。
【００３８】
蓋体２５０の上面には、蓋体２５０の内外を貫通し、透明な板状部材で塞がれた表示窓（開口）２６０と、操作ボタン２７０とが設けられている。
【００３９】
表示窓２６０の下部には、表示部８００が設置され、これにより、表示窓２６０を介して、表示部８００で表示される各種情報を確認することができる。
【００４０】
表示部８００は、例えば、液晶表示素子（ＬＣＤ）等で構成されており、電源のオン／オフ、電源電圧（電池残量）、測定値、測定日時、エラー表示、操作ガイダンス等を表示することができる。
【００４１】
制御手段６００は、成分測定装置１００の各部の諸動作を制御する。この制御手段６００には、測定手段４００からの信号に基づいて血液中の所定の成分量（例えば、血糖値等）を算出する演算部が内蔵されている。
【００４２】
電池５００は、測定手段４００、制御手段６００および表示部８００等と電気的に接続され、これらの作動に必要な電力を供給する。
【００４３】
また、測定手段４００は、発光素子（発光ダイオード）４１０と、受光素子（フォトダイオード）４２０とを有しており、これらは、ホルダー４３０に収納、保持されている。
【００４４】
発光素子４１０は制御手段６００と電気的に接続され、受光素子４２０は、図示しない増幅器およびＡ／Ｄ変換器を介して制御手段６００と電気的に接続されている。
【００４５】
発光素子４１０は、制御手段６００からの信号により作動し、所定の時間間隔でパルス光を発する。このパルス光は、例えば、その周期が０．５〜３．０ｍｓｅｃ程度、１パルスの発光時間が０．０５〜０．３ｍｓｅｃ程度とされる。また、このパルス光の波長は、好ましくは５００〜７２０ｎｍ程度とされる。
【００４６】
このような成分測定装置１００に、本発明の体液採取具１を装填（装着）して使用する。
【００４７】
＜体液採取具＞
次に、本発明の体液採取具について詳細に説明する。
【００４８】
＜＜第１実施形態＞＞
本発明の体液採取具の第１実施形態について説明する。
【００４９】
図１は、本発明の体液採取具の第１実施形態を示す上面図、図２は、図１に示す体液採取具の分解縦断面図、図３は、図１中のＡ−Ａ線断面図である。なお、以下の説明では、図１〜図３中の上側を「上」または「上方」、下側を「下」または「下方」と言う。
【００５０】
図１〜図３に示す体液採取具（血液採取具）１は、本体部２と、この本体部２に設けられた試験紙（検出部）３と、体液移送路（血液移送路）４と、体液貯留空間（血液貯留空間）５と、大気開放路６とを有している。
【００５１】
本体部２は、試験紙３を支持するとともに、体液採取具１を成分測定装置１００の装填部３００に装填する部分を構成するものである。本体部２は、図２および図３に示すように、ベース（下部材）２１と、このベース２１に積層されるカバー（上部材）２２とで構成されている。
【００５２】
ベース２１は、ほぼ直方体状をなす部材で構成され、その上面に開放する第１の溝２１１、凹部２１２および第２の溝２１３が形成されている。
【００５３】
第１の溝２１１および第２の溝２１３は、ほぼ一直線状に、かつ、ベース２１の長手方向とほぼ平行となるように形成されている。
【００５４】
第１の溝２１１は、その先端がベース２１の先端に、その基端が凹部２１２に、それぞれ開放している。また、第２の溝２１３は、その先端が凹部２１２に、その基端がベース２１の基端に、それぞれ開放している。
【００５５】
凹部２１２は、平面視での形状がほぼ円形をなしている。この凹部２１２の上方には、平面視での面積が凹部２１２より大きい凹部２１４が形成されている。凹部２１４は、後述する試験紙３が載置（設置）される部分であり、試験紙３に対応した形状をなしている。
【００５６】
カバー２２は、ベース２１と対応する形状をなす平板部材で構成されている。
また、カバー２２の基端部には、図１および図３に示すように、ベース２１とカバー２２との間に試験紙３を位置させた状態（以下、この状態を、「組み立て状態」と言う。）において、試験紙３を露出させる孔部２２１が形成されている。図３に示すように、測定手段４００は、この孔部２２１を介して、試験紙３の発色（呈色）状態を検出することができる。
【００５７】
本体部２（ベース２１、カバー２２）の構成材料としては、特に限定されないが、例えば、ＡＢＳ樹脂、ポリエチレン、ポリプロピレン、ポリスチレン、ポリ塩化ビニル、ポリ塩化ビニリデン樹脂、ポリフェニレンオキサイド、熱可塑性ポリウレタン、ポリメチルメタクリレート、ポリオキシエチレン、フッ素樹脂、ポリカーボネート、ポリアミド、アセタール樹脂、アクリル樹脂、ポリエチレンテレフタレート等の熱可塑性樹脂や、フェノール樹脂、エポキシ樹脂、シリコーン樹脂、不飽和ポリエステル等の熱硬化性樹脂等が挙げられる。また、本体部２の構成材料には、例えば、各種セラミックス材料、各種金属材料等を用いることもできる。
【００５８】
試験紙３は、血液中の所定の成分を検出し得るものであり、例えば、血液を吸収可能な担体（吸収体）に、試薬（発色試薬）を担持（含浸）してなるものである。この担体は、好ましくは多孔性膜で構成されている。この場合、多孔性膜は、血液中の赤血球を濾過できる程度の孔径を有するものが好ましい。
【００５９】
多孔性膜による担体を用いることにより、含浸させる試薬が特にオキシダーゼ反応のように大気中の酸素を基質として反応する過程を含む試薬系の場合に、血液が試験紙３上に展開後、血液受容側が血液で覆われた状態でも、反応側より大気中に酸素が供給されるので、反応を迅速に進ませることができ、よって、血液を除去することなく発色状態を検出することができる。
【００６０】
試験紙３の担体としては、多孔性膜の他に、例えば、不織布、織布、延伸処理したシート等のシート状多孔質基材が挙げられる。
【００６１】
多孔性膜等の担体の構成材料としては、ポリエステル類、ポリアミド類、ポリオレフィン類、ポリスルホン類またはセルロース類等が挙げられるが、試薬を溶解した水溶液を含浸させたり、血液の採取時には血球を濾過するため、親水性を有する材料または、親水化処理されたものが好ましい。
【００６２】
親水化処理としては、例えばプラズマ処理、グロー放電、コロナ放電、紫外線照射等の物理活性化処理の他、界面活性剤、水溶性シリコン、ヒドロキシプロピルセルロース、ポリエチレングリコール、ポリプロピレングリコール等の付与（塗布）等により行うことができる。
【００６３】
また、試験紙３の担体は、単層のシートで構成してもよく、複数枚のシートを積層した多層構成であってもよい。
【００６４】
図示の構成では、試験紙３の担体（凹部２１４）の平面視での形状は、ほぼ正方形をなしているが、その他、長方形、菱形等の四角形、三角形、六角形、八角形、円形、楕円形等のいかなるものであってもよい。
【００６５】
担体（多孔性膜）に含浸する試薬としては、血糖値測定用の場合、グルコースオキシダーゼ（ＧＯＤ）と、ペルオキシダーゼ（ＰＯＤ）と、例えば４−アミノアンチピリン、Ｎ−エチルＮ−（２−ヒドロキシ−３−スルホプロピル）−ｍ−トルイジンのような発色剤（発色試薬）とが挙げられ、その他、測定成分に応じて、例えばアスコルビン酸オキシダーゼ、アルコールオキシダーゼ、アルコールデヒドロゲナーゼ、ガラクトースオキシダーゼ、フルクトースデヒドロゲナーゼ、コレステロールオキシダーゼ、コレステロールデヒドロゲナーゼ、乳酸オキシダーゼ、乳酸デヒドロゲナーゼ、ビリルビンオキシダーゼ、キサンチンオキシダーゼ等の血液成分（所定の成分）と反応するものと、前記と同様の発色剤（発色試薬）とが挙げられる。また、さらにリン酸緩衝液のような緩衝剤が含まれていてもよい。なお、試薬の種類、成分については、これらに限定されないことは言うまでもない。
【００６６】
本実施形態の体液採取具１は、図１および図３に示すように、ベース２１の凹部２１４に試験紙３を載置し、ベース２１にカバー２２を積層、固着（固定）した状態（組み立て状態）で使用される。すなわち、本実施形態の体液採取具１では、試験紙３は、ベース２１とカバー２２との間に位置している。このような構成により、試験紙３の本体部２からの離脱を確実に防止することができる。
【００６７】
なお、ベース２１とカバー２２との固着の方法としては、例えば、融着（熱融着、超音波融着、高周波融着）、粘着、接着剤による接着等が挙げられる。
【００６８】
この組み立て状態で、第１の溝２１１、凹部２１２および第２の溝２１３は、それぞれ、カバー２２および／試験紙３（担体）により閉塞され、互いに連通する体液移送路（血液移送路）４、体液貯留空間（血液貯留空間）５および大気開放路６が画成されている。
【００６９】
具体的には、体液移送路４は、第１の溝２１１の大部分がカバー２２で閉塞され、また、第１の溝２１１の基端部が試験紙３で閉塞されることにより画成され、体液貯留空間５は、試験紙３で覆われることにより画成され、また、大気開放路６は、第２の溝２１３の先端部が試験紙３で覆われ、また、第２の溝２１３の中央部がカバー２２で覆われることにより画成されている。
【００７０】
体液移送路４は、その先端に体液流入口（体液採取口）４１と、その基端に体液流出口４２とが、それぞれ形成されており、体液流入口４１から血液を採取して、採取した血液を毛細管現象により、体液流出口４２に向かって（体液採取具１の内部に）移送する。なお、以下では、血液の移送方向（図１および図３中左右方向、図２中紙面斜め前後方向）を、単に「移送方向」と言い、この移送方向に平行かつ体液採取具１の厚さ方向に平行な方向での断面を「縦断面」、移送方向に垂直な方向での断面を「横断面」と言う。
【００７１】
この体液移送路４の横断面積（平均）は、特に限定されないが、０．０５〜３０ｍｍ２程度であるのが好ましく、０．１〜１０ｍｍ２程度であるのがより好ましい。体液移送路４の横断面積（平均）が小さ過ぎると、血液の供給速度が遅く、十分な量の血液を得るのに長時間を要し、一方、体液移送路４の横断面積（平均）が大き過ぎると、毛細管現象による血液の移送（以下、単に「血液移送」と言う。）が困難となる。
【００７２】
なお、体液移送路４の横断面積は、体液移送路４の移送方向（長手方向）に沿って、ほぼ一定であっても、変化していてもよい。
【００７３】
体液移送路４の横断面形状は、例えば、長方形、正方形、菱形等の四角形、三角形、六角形、八角形、円形、楕円形等のいかなるものであってもよいが、図示のような長方形（第１の溝２１１の横断面形状がコ字状をなすもの）であるのが好ましい。これにより、体液移送路４内に残存する血液の量をより少なくすることができる。
【００７４】
かかる観点からは、体液移送路４の横断面形状は、特に、薄型の（高さの低い）長方形が好ましく、この場合、好ましくは、その高さが０．０５〜０．５ｍｍ程度、その幅が０．５〜３ｍｍ程度とされる。
【００７５】
また、体液移送路４の長さ（全長：図１中Ｌ）は、体液移送路４の横断面積（平均）によって適宜設定され、特に限定されないが、１〜２５ｍｍ程度であるのが好ましく、５〜２０ｍｍ程度であるのがより好ましい。
【００７６】
このような体液移送路４の内面には、前述したのと同様の方法により、親水化処理が施されているのが好ましい。これにより、採取した血液をより効率よく、体液流出口４２に向かって移送することができる。
【００７７】
体液貯留空間５は、体液移送路４を介して移送された血液の所定量を貯留可能な空間である。この体液貯留空間５を設けることにより、体液移送路４を介して移送された血液は、体液貯留空間５内に一旦貯留され、体液貯留空間５内を十分に満たした後、試験紙３と接触するようになる。これにより、血液の液面と試験紙３の下面（体液貯留空間５側の面）とは、面同士で接触することになるので、試験紙３には、より均一に血液が展開される。その結果、所定の成分の量をより正確に測定することができる。
【００７８】
この体液貯留空間５の容積は、特に限定されないが、０．１〜５μＬ程度であるのが好ましく、０．３〜１μＬ程度であるのがより好ましい。体液貯留空間５の容積が小さ過ぎると、血液が体液貯留空間５を十分に満たす前に、試験紙３の下面に接触し、吸収されてしまうおそれがあり、一方、体液貯留空間５の容積が大き過ぎると、必要以上の血液が採取され、患者の負担が大きくなるおそれがある。
【００７９】
なお、試験紙３の下面と体液貯留空間５（凹部２１２）の底面との距離（図３中Ｈ）は、体液貯留空間５の平面視での面積等により適宜設定され、特に限定されないが、好ましくは０．０３〜０．３ｍｍ程度、より好ましくは０．０５〜０．２ｍｍ程度とされる。
【００８０】
大気開放路６は、体液移送路４とは異なる箇所で体液貯留空間５を大気に開放させるものであり、体液移送路４を介して、血液を体液採取具１の内部（試験紙３）に移送する際に、体液採取具１内に存在する空気を効率よく排出する空気抜きとして機能する。
【００８１】
この大気開放路６を設けることにより、体液移送路４の体液流入口４１から採取された血液は、空気圧によって滞留することなく、体液移送路４内を体液流出口４２に向かって円滑に移送される。また、体液貯留空間５が大気開放路６を介して大気に開放する構成とすることにより、体液貯留空間５内に貯留された血液が体液採取具１の外部に容易に流出してしまうことも防止することができる。
【００８２】
なお、この大気開放路６は、カバー２２により第２の溝２１３の全長を閉塞することにより画成されたものであってもよいが、図示の構成のように、第２の溝２１３の基端側をカバー２２により閉塞しない構成とすることにより、大気開放路６の全長を比較的短く設定することができ、前記空気抜きとしての効率をより向上させることができる。
【００８３】
さて、本発明では、本体部２（ベース２１）の体液移送路４の試験紙（検出部）３近傍に、体液移送路４内に突出する凸部７を設けたことに特徴を有している。以下、この点（特徴）について詳述する。
【００８４】
この凸部７を設けることにより、体液流入口４１側に対して体液流出口４２側の体液移送路４の横断面積を小さくすることができ、これにより、体液移送路４内における血液移送をより促進させることができる。
【００８５】
また、凸部７を設けることにより、通常、横断面積が狭い領域から広い領域に移行する境界部（本実施形態では、体液移送路４と体液貯留空間５との境界部）で生じる血液移送を阻害する効果を上回るだけの血液移送の促進効果が発揮され、その結果、血液は、体液移送路４内から体液貯留空間５内へ円滑に供給されることとなる。
【００８６】
このようなことから、体液採取具１では、血液をより確実かつ迅速に試験紙３に供給することができる。特に、体液採取具１では、体液移送路４の長さを比較的長く設定した場合や、血液のような比較的粘度の高い体液の測定を行う場合でも、体液（血液）をより確実かつ迅速に試験紙３に供給することができる。
【００８７】
また、このような血液移送の促進効果を得るためには、体液流入口４１の面積と体液移送路４の最小横断面積（凸部７が設けられている部分）との関係が大きく影響する。このため、これらには、好適な関係が存在する。すなわち、体液移送路４の最小横断面積をＲ１とし、体液流入口（体液採取口）４１の面積をＲ２としたとき、Ｒ１／Ｒ２が０．０５〜０．５程度であるのが好ましく、０．１〜０．３程度であるのがより好ましい。これにより、血液移送の促進効果がより顕著に発揮される。
【００８８】
さらに、凸部７は、図３に示すように、その頂部が試験紙３（担体）に接触（特に、圧接）するような構成とされるのが好ましい。体液移送路４は、体液貯留空間５との境界部において、上部（天井部）を構成する材質が、カバー２２の材質から試験紙３の材質へと変化する。この材質の変化は、血液移送を阻害する傾向を示すが、この材質が変化する部分で、凸部７が試験紙３に接触していることにより、体液移送路４に侵入した血液が、凸部７を足掛かりとして試験紙３へ容易に移送され、また、組立誤差等による物理的ギャップを容易に乗り越えられることとなり、その結果、血液移送の効率が低下するのを防止することができる。
【００８９】
また、凸部７の表面には、前述したのと同様の方法により、親水化処理が施されているのが好ましい。これにより、血液を体液移送路４の体液流出口４２に向かってより迅速に移送することができる。
【００９０】
なお、図示の構成では、凸部７は、ほぼ直方体状をなし、第１の溝２１１の底面に１つ設けられているが、これに限定されるものではなく、その形状、設置個数、配置等は適宜設定することができる。
【００９１】
凸部７の形状（縦断面形状）は、例えば、正方形、菱形、台形等の四角形、三角形、六角形、八角形、円形、楕円等のいかなるものであってもよい。また、凸部７は、体液移送路４の内面の他の部分、例えば、第１の溝２１１の側面、カバー２２の下面の第１の溝２１１に臨む部分等に設けることもできる。
【００９２】
さらに、凸部７は、体液移送路４の内面に、複数個設けられていてもよく、この場合、複数の凸部７は、形状、寸法等が互いに同じであっても、異なっていてもよい。なお、複数の凸部７を設ける場合には、体液貯留空間５に最も近い凸部７が、前述したような位置に設けられていればよい。
【００９３】
このような凸部７とベース２１とは、例えば、▲１▼射出成形により一体的に形成する方法、▲２▼母材にエッチング加工を施すことにより、所定の形状を形成する方法、▲３▼平板状の母材の表面に、印刷法を用いて所定の形状を形成する方法、▲４▼平板状の母材の表面に、所定の形状の部材を固着（固定）する方法等により得ることができる。▲１▼および▲２▼の方法によれば、寸法精度の高い凸部７およびベース２１を容易に得ることができ、また、▲３▼および▲４▼の方法によれば、凸部７およびベース２１の製造コストの低減を図ることができる。なお、▲１▼〜▲４▼の方法は、任意の２以上の方法を組み合わせて用いることもできる。
【００９４】
次に、体液採取具１を成分測定装置１００に装填して使用する方法（作用）の一例について説明する。
【００９５】
［１］  まず、体液採取具１を、大気開放路６側から成分測定装置１００の開口２３０に挿入し、装填部３００に装填する。これにより、体液採取具１は、孔部２２１が測定手段４００の下方に位置するように、装填部３００に装填される。そして、操作ボタン２７０を押圧する。これにより、成分測定装置１００の各部が起動し、測定可能な状態となる。
【００９６】
［２］  次に、例えば、指（指先）、手（手の平、手の甲、手の側部）、腕、大腿、耳たぶ等の体液採取部位を、針や、針を備える穿刺手段等を用いて穿刺する。これにより、皮膚が穿刺され、この穿刺部位から皮膚上に血液（体液）が流出し、皮膚表面で隆起する。
【００９７】
［３］  次に、成分測定装置１００に装着された体液採取具１の体液流入口４１を、皮膚上に隆起した血液に接触させる。これにより、血液は、毛細管現象により体液移送路４内に吸引され、体液流出口４２に向かって移送される。このとき、体液移送路４の内面の体液流出口４２（体液貯留空間５）近傍に凸部７が設けられているので、血液移送の促進効果が好適に発揮され、血液が体液移送路４内を円滑に移送され、体液貯留空間５内に供給される。
【００９８】
そして、体液貯留空間５に供給された血液は、体液貯留空間５で血液面が上昇することによって試験紙３と接触し、試験紙３に含浸、展開される。このとき、血液と試験紙３とは面同士で接触するので、試験紙３には面方向にほぼ均一血液が展開される。試験紙３への血液の展開が完了すると、血液中の所定成分（例えばブドウ糖）と試験紙３の担体に担持させた試薬とが反応し、所定成分の量に応じて発色（呈色）する。
【００９９】
［４］  この試験紙３の発色は、測定手段４００で検出される。測定手段４００は、発光素子４１０から試験紙３に光を照射し、その反射光は、受光素子４２０で受光され、光電変換される。そして、受光素子４２０からは、その受光光量に応じたアナログ信号が出力され、所望に増幅された後、Ａ／Ｄ変換器にてデジタル信号に変換され、制御手段６００に入力される。
【０１００】
[５]  制御手段６００は、このデジタル信号に基づいて、所定の演算処理を行い、また、必要に応じて、温度補正計算、ヘマトクリット値補正計算等の補正を行い、血液中のブドウ糖量（血糖値）を求める。すなわち、血糖値を定量化する。次いで、求められた血糖値を表示部８００に表示する。これにより、血糖値を把握することができる。
【０１０１】
なお、以上の説明では、体液採取具１の使用方法として、成分測定装置１００に体液採取具１を装着した後、血液の吸引（採取）を行う場合について示したが、体液採取具１は、成分測定装置１００に装着する前に、血液を吸引（採取）した後、成分測定装置１００に装着して、血液中の所定成分を測定するようにして使用することもできる。
【０１０２】
以上説明したように、体液採取具１には、体液移送路４の試験紙３（体液貯留空間５）近傍に、体液移送路４内に突出する凸部７が設けられていることにより、毛細管現象による血液の移送を促進する効果が良好に発揮され、血液が体液移送路４内を円滑に移送され、体液貯留空間５内に供給される。したがって、採血不良により体液採取具１を無駄に廃棄したり、患者に再度の血液採取を強いることなく、成分測定を効率良く行うことができる。
【０１０３】
また、この体液採取具１では、他に特別な装置を用いることなく、体液移送路４内に突出する凸部７を設けるという簡単な構造で、毛細管現象による血液の移送を促進する効果が発揮されるので、製造コストを低く抑えることができ、使い捨て用途への適用に適する。
【０１０４】
＜＜第２実施形態＞＞
次に、本発明の体液採取具の第２実施形態について説明する。
【０１０５】
図４は、本発明の体液採取具の第２実施形態を示す縦断面図である。なお、以下の説明では、図４中の上側を「上」または「上方」、下側を「下」または「下方」と言う。
【０１０６】
以下、第２実施形態の体液採取具１について説明するが、前記第１実施形態との相違点を中心に説明し、同様の事項については、その説明を省略する。
【０１０７】
図４に示す体液採取具１は、体液移送路４の形状および凸部７の形状が異なり、それ以外は、前記第１実施形態と同様である。
【０１０８】
本実施形態の体液移送路４は、その横断面積が体液流入口（体液採取口）４１から遠ざかる方向（体液流出口４２に向かって）に漸減している。これにより、毛細管現象による血液の移送（血液移送）をより促進することができる。
【０１０９】
かかる体液移送路４は、図４に示すように、カバー２２を先端方向に向かって、ベース２１から離間するよう傾斜させることにより構成されている。その他、かかる体液移送路４は、ベース２１を先端方向に向かって、カバー２２から離間するよう傾斜させたり、ベース２１およびカバー２２の双方を、互いに先端方向に向かって離間するよう傾斜させたり等することにより構成することもできる。また、体液移送路４の横断面積は、体液移送路４の高さを変化させる構成に代えて、体液移送路４の幅を変化させる構成でもよく、体液移送路４の高さおよび幅の双方を変化させる構成であってもよい。
【０１１０】
また、本実施形態の凸部７は、その縦断面形状が台形をなしている。これにより、凸部７付近における血液の移送をより円滑にすることができる。
【０１１１】
このような第２実施形態の体液採取具１でも、前記第１実施形態と同様の作用・効果が得られる。
【０１１２】
また、第２実施形態の体液採取具１も、前記第１実施形態と同様にして使用することができる。
【０１１３】
＜＜第３実施形態＞＞
次に、本発明の体液採取具の第３実施形態について説明する。
【０１１４】
図５は、本発明の体液採取具の第３実施形態を示す上面図、図６は、図５中のＢ−Ｂ線断面図である。なお、以下の説明では、図５および図６中の上側を「上」または「上方」、下側を「下」または「下方」と言う。
【０１１５】
以下、第３実施形態の体液採取具１について説明するが、前記第１および第２実施形態との相違点を中心に説明し、同様の事項については、その説明を省略する。
【０１１６】
第３実施形態の体液採取具１は、カバー２２および試験紙３の寸法、試験紙３の設置位置が異なり、それ以外は、前記第１実施形態と同様である。
【０１１７】
本実施形態では、カバー２２は、その長手方向（移送方向）の長さが、ベース２１の先端から凸部７と重なる位置までの長さとされている。また、試験紙３は、その長手方向（移送方向）の長さが、凸部７と重なる位置からベース２１の基端までの長さとされている。
【０１１８】
そして、カバー２２と試験紙３とは、同一平面上に位置するよう、隣接して配設されている。これにより、大気開放路６がベース２１と試験紙３とで構成されている。
【０１１９】
このような構成により、体液採取具１の構成を簡略化することができ、製造コストの低減を図ることができる。
【０１２０】
また、本実施形態では、凸部７は、その頂部がカバー２２および試験紙３の双方に接触するよう設けられている。前述したように、体液移送路４の上部（天井部）の材質が変化する部分では、この材質の変化は、毛細管現象による血液の移送（血液移送）を阻害する傾向を示すが、凸部７の頂部がカバー２２および試験紙３の双方に接触する構成とすることにより、血液移送の効率が低下するのをより確実に防止することができる。
【０１２１】
このような第３実施形態の体液採取具１でも、前記第１実施形態と同様の作用・効果が得られる。
【０１２２】
また、第３実施形態の体液採取具１も、前記第１実施形態と同様にして使用することができる。
【０１２３】
以上、本発明の体液採取具を図示の各実施形態に基づいて説明したが、本発明は、これらに限定されるものではなく、例えば、各部の構成は、同様の機能を発揮し得る任意の構成のものに置換することができ、また、任意の他の構成を追加することもできる。
【０１２４】
例えば、本発明では、前記第１〜第３実施形態のうちの任意の２以上の構成を適宜組み合わせることもできる。
【０１２５】
また、各前記実施形態では、採取する体液として、血液を代表に説明したが、本発明では、採取する体液は、これに限らず、例えば、尿、汗、リンパ液、髄液、胆汁、唾液等であってもよい。
【０１２６】
また、測定目的とする所定成分は、ブドウ糖の他、例えば、各種アルコール類、各種糖類、コレステロール、乳酸、各種ビタミン類、ヘモグロビン（潜血）、尿酸、クレアチニン、各種タンパク質、ナトリウム等の無機イオン等であってもよい。
【０１２７】
また、各前記実施形態では、検出部は、所定成分の量を測定（検出）するものとして説明したが、本発明では、所定成分の性質を測定（検出）するものであってもよく、また、所定成分の量および性質の双方を測定（検出）するものであってもよい。
【０１２８】
また、各前記実施形態では、検出部は、体液中の所定成分と試薬との反応により発色（呈色）するもの、すなわち、光学的に所定成分を検出する方式のものについて説明したが、本発明では、電極式の方法（電気的に所定成分を検出する方式）のものであってもよい。この場合、検出部には、電極を設け、また、所定の成分と反応する試薬としては、前述したような酵素のうち、酸化還元酵素の少なくとも１種と、フェリシアン化カリウム、フェロセン誘導体、キノン誘導体、金属錯体等の電子受容体の少なくとも１種とを適宜組み合わせたものを用いるようにすればよい。
【０１２９】
【発明の効果】
以上述べたように、本発明によれば、体液移送路の検出部近傍に、体液移送路内に突出する凸部を設けたことにより、体液移送路における毛細管現象による体液の移送が促進され、例えば体液移送路の長さを長くした場合や、体液として粘度の高いものを採取する場合でも、体液をより確実かつ迅速に検出部に移送することができる。
【０１３０】
また、体液移送路に連通する体液貯留空間を設けた場合でも、体液を、体液移送路内から体液貯留空間内に円滑に供給することができる。
【０１３１】
このようなことから、体液採取具を無駄に廃棄したり、患者に再度の体液採取を強いることなく、成分測定を効率良く行うことができる。
【０１３２】
また、本発明によれば、他に特別な装置を用いることなく、体液移送路内に突出する凸部を設けるという簡単な構造で、毛細管現象による体液の移送を促進することができるため、製造コストの低減を図ることが、使い捨て用途への適用に適する。
【図面の簡単な説明】
【図１】本発明の体液採取具の第１実施形態を示す上面図である。
【図２】図１に示す体液採取具の分解斜視図である。
【図３】図１中のＡ−Ａ線断面図である。
【図４】本発明の体液採取具の第２実施形態を示す縦断面図である。
【図５】本発明の体液採取具の第３実施形態を示す上面図である。
【図６】図５中のＢ−Ｂ線断面図である。
【図７】本発明の体液採取具を装填して使用する成分測定装置の構成を模式的に示す分解斜視図である。
【符号の説明】
１            体液採取具
２            本体部
２１          ベース
２１１        第１の溝
２１２        凹部
２１３        第２の溝
２１４        凹部
２２          カバー
２２１        孔部
３            試験紙
４            体液移送路
４１          体液流入口
４２          体液流出口
５            体液貯留空間
６            大気開放路
７            凸部
１００        成分測定装置
２００        本体
２１０        筐体
２２０        壁部
２３０        開口
２５０        蓋体
２６０        表示窓
２７０        操作ボタン
３００        装填部
４００        測定手段
４１０        発光素子
４２０        受光素子
４３０        ホルダー
５００        電池
６００        制御手段
７００        回路基板
８００        表示部
【図１】
2004194926.tif 000003
【図２】
2004194926.tif 000004
【図３】
2004194926.tif 000005
【図４】
2004194926.tif 000006
【図５】
2004194926.tif 000007
【図６】
2004194926.tif 000008
【図７】
2004194926.tif 000009